(57)【特許請求の範囲】
【請求項１】
建物の外側に足場を設置するための足場設置具であって、
前記建物の窓枠に掛止されて前記建物の外側及び内側にそれぞれ垂下する第１及び第２アームを有する少なくとも１つの掛止具と、
前記第１アームに設けられて、前記足場を支持する支持具と、
前記第２アームに固定されて、前記窓枠の下縁に係止される係止具と、
を備え、
前記係止具は、前記第２アームの前記建物の内壁に対向する一側に、前記内壁に向かって水平に延びる片部を有することを特徴とする、足場設置具。
【請求項２】
前記係止具は、前記窓枠の横幅方向に関して、前記窓枠の横幅よりも長いことを特徴とする、請求項１に記載の足場設置具。
【請求項３】
前記第１アームの前記建物の外壁に対向する一側に設けられて、前記外壁に当接する伸縮可能な当接具をさらに備えることを特徴とする、請求項１又は２に記載の足場設置具。
【請求項４】
前記掛止具を複数備え、
複数の前記支持具が、前記複数の掛止具の第１アームのそれぞれに設けられ、
１の前記係止具が、前記複数の掛止具の第２アームに固定されることを特徴とする、請求項１〜３のいずれか一項に記載の足場設置具。
【請求項５】
建物の外側に設置される足場であって、
請求項４に記載の足場設置具と、
複数の前記支持具によって支持される１の足場用板部材とを備えることを特徴とする、足場。
【発明の詳細な説明】
【技術分野】
【０００１】
本発明は、建物の外側に足場を設置するための足場設置具、及びその足場設置具を用いた足場に関する。
【背景技術】
【０００２】
既設の建物の外側を工事・補修する際に、作業用の足場が必要になる。例えば、集合住宅の高層階、戸建て住宅の上部などについては、建物の外壁に沿って地上から足場を組む必要があり、多くの作業とコストを要するという問題がある。これに対して、例えば窓の直上に窓用シャッタを設けるなど、窓の上方を工事・補修する場合においては、窓枠を利用して足場を設けることができる。
【０００３】
そこで、特許文献１には、窓の下側周縁部に２つの支持脚を取付け、それらの間に足場を掛け渡す作業用足場が開示されている。また、特許文献２には、室内床面に設置し窓枠周囲の内壁に当接する支持具を備えた内部枠体、内部枠体を支持する支柱に係合されたＬ字状のステップ支持体、及びステップ支持体にセットされた作業ステップから構成される窓用足場が開示されている。しかし、これら窓枠を利用して組み立てられる足場は、鉛直方向の力に対しては強いが、水平方向の力に弱く、不安定であるという問題がある。
【先行技術文献】
【特許文献】
【０００４】
【特許文献１】特開２００３−１４７９５７号公報
【特許文献２】特開２０１３−１６７０８３号公報
【発明の概要】
【発明が解決しようとする課題】
【０００５】
本発明は、建物の外側に足場を安定に設置することができる足場設置具を提供することを課題とする。
【課題を解決するための手段】
【０００６】
本発明の足場設置具は、
建物の外側に足場を設置するための足場設置具であって、
前記建物の窓枠に掛止されて前記建物の外側及び内側にそれぞれ垂下する第１及び第２アームを有する少なくとも１つの掛止具と、
前記第１アームに設けられて、前記足場を支持する支持具と、
前記第２アームに固定されて、前記窓枠の下縁に係止される係止具と、
を備えることを特徴とする。
【０００７】
これによれば、掛止具を建物の窓枠に掛止して、外側に垂下する第１アームに設けられた支持具に足場を設けることができるとともに、建物の内側に垂下する第２アームに設けられた係止具が窓枠に係止されることで、足場を介して掛止具に加わる力が相殺されるため、足場を安定に支持することが可能となる。
【０００８】
本発明の足場設置具は、
前記係止具は、前記第２アームの前記建物の内壁に対向する一側に、前記内壁に向かって水平に延びる片部を有することを特徴とする。
【０００９】
これによれば、片部が窓枠に係ることで、係止具を窓枠に係止することができる。
【００１０】
本発明の足場設置具は、
前記係止具は、前記窓枠の横幅方向に関して、前記窓枠の横幅よりも長いことを特徴とする。
【００１１】
これによれば、係止具が窓枠の横幅よりも長いことで、確実に、係止具が窓枠に係止されて、掛止具の建物の外側への脱落が防止されるとともに、窓枠の側部下の壁の内側に設けられた躯体の近傍で係止具が窓枠に係止されることで、十分な強度で係止具、すなわち掛止具を係止することが可能となる。
【００１２】
本発明の足場設置具は、
前記第１アームの前記建物の外壁に対向する一側に設けられて、前記外壁に当接する伸縮可能な当接具をさらに備えることを特徴とする。
【００１３】
これによれば、第１アームに設けられた当接具が外壁に当接することで第１アームを支持するとともに、当接具を伸縮することで外壁と第１アームの距離を調節することが可能となる。
【００１４】
本発明の足場設置具は、
前記掛止具を複数備え、
複数の前記支持具が、前記複数の掛止具の第１アームのそれぞれに設けられ、
１の前記係止具が、前記複数の掛止具の第２アームに固定されることを特徴とする。
【００１５】
これによれば、複数の掛止具の第１アームのそれぞれに設けられる支持具により足場が安定に支持される。また、１の係止具が複数の掛止具の間を含む長い部分で窓枠に係止され、掛止具が安定して保持される。
【００１６】
本発明の足場は、
建物の外側に設置される足場であって、
上記の足場設置具と、
複数の前記支持具によって支持される１の足場用板部材とを備えることを特徴とする。
【００１７】
これによれば、本発明の足場設置具を用いて足場用板部材を支持することで、足場を安定に設置することができる。
【発明の効果】
【００１８】
本発明の足場設置具によれば、建物の外側に足場を安定に設置することが可能となる。
【図面の簡単な説明】
【００１９】
【図１】図１は、足場設置具の構成を示す図である。（実施例１）
【図２】図２は、足場設置具の構成を示す図である。（実施例２）
【発明を実施するための形態】
【００２０】
以下、本発明の実施例を説明する。
【実施例１】
【００２１】
図１に、本実施例に係る足場設置具１０の構成を、足場設置具１０を用いて建物の窓枠１の外側に足場（足場用板部材２０）を設置した状態において示す。ここで、図１（Ａ）は建物の外側から窓枠を見た際の正面図、図１（Ｂ）は建物の内側から窓枠を見た際の背面図、及び図１（Ｃ）は図１（Ａ）及び（Ｂ）の基準線ＣＣに関する断面図である。足場設置具１０は、建物の外側に足場を設置するための道具であり、２つの掛止具１１、２つの支持具１２ｂ、補強具１２ｃ、当接具１２ｄ、及び係止板１５から構成される。
【００２２】
２つの掛止具１１は、図１（Ｃ）より分かるように、側面視Ｅ字形状を有し、水平方向に延びる本体及び本体から鉛直方向に延びる（垂下する）第１〜第３アーム１２，１３，１２ａを有する。本体の長さは、一例として約８０ｃｍとする。第１アーム１２は、本体のほぼ中央に上端を接続し、その長さは７０〜８０ｃｍとする。第２アーム１３は、本体の室内側の一端にその上端を接続し、その長さは一例として約３０ｃｍとする。第３アーム１２ａは、本体の室外側の一端にその上端を接続し、その長さは一例として約５０ｃｍとする。なお、本体の下面について、窓枠１を保護するためのゴムを貼ることが好ましい。
【００２３】
本体及び第１〜第３アーム１２，１３，１２ａは、一例として、鉄等の金属を用いて一体成形される。なお、本体及び第１〜第３アーム１２，１３，１２ａは個別に成形され、ネジ等の接続具を用いて本体に第１〜第３アーム１２，１３，１２ａを固定することとしてもよい。
【００２４】
支持具１２ｂは、水平方向に延びる金属製の梁状部材であり、その一端及び他端がそれぞれ第１アーム１２のほぼ中央及び第３アーム１２ａのほぼ下端に固定されている。なお、支持具１２ｂは、例えば第１及び第３アーム１２，１２ａに支持具１２ｂ固定用の孔を複数設けてその孔にボルトで固定する等、第１及び第３アーム１２，１２ａの多くの位置から選択的に固定可能としてもよい。それにより、後述するように支持具１２ｂに支持される足場用板部材２０の高さを調節することができる。
【００２５】
補強具１２ｃは、金属製の梁状部材であり、図１（Ｃ）より分かるように、その一端及び他端がそれぞれ第１アーム１２及び支持具１２ｂに固定され、斜交いを構成している。それにより、支持具１２ｂ（の上に載置された足場）に上方からの重力が加わっても、支持具１２ｂが安定する。
【００２６】
当接具１２ｄは、２つの端部及びそれらを接続する接続部を有し、接続部には２つの端部を相対的に捻じる（接続部を回転させる）ことで伸縮するネジが設けられている（接続部の長さを調整することが可能であればネジ以外の構造でもよい）。当接具１２ｄは、端部の一方が第１アーム１２に固定され、他方が外壁２ｂに圧着される。接続部の長さを調整することで外壁２ｂと第２アーム１２との間の距離を調節する。これにより、掛止具１１が室内側に移動することを防止する。なお、外壁２ｂに圧着される方の端部について、外壁２ｂを保護するためのゴムを貼ることが好ましい。
【００２７】
ここで、第１アームの長さが７０〜８０ｃｍであることで、以下の効果を有する。室内から手を伸ばして接続部の長さの調整をすることができる。また、支持具１２ｂ（の上に載置された足場）に加わる重力により掛止具１１が窓枠との接点を中心に室外側に回転して脱落することを、てこの原理で安定して防止する。前者の効果は第１アームの長さが短いほうがよく、後者の効果は第１アームの長さが長いほうがよい。７０〜８０ｃｍは、両者の効果を得ることのできる好ましい長さである。
【００２８】
係止板１５は、図１（Ｂ）より分かるように、窓枠１の横幅方向（図１（Ａ）及び（Ｂ）における図面左右方向）を長手とする板状部材であり、窓枠１の横幅より十分長く、幅（上下方向の幅）約１０ｃｍ、及び厚さ約５ｃｍとする。係止板１５は、第２アーム１３の建物の内壁２ａに対向する一側にネジ１３ａ等の固定具を用いて固定されている。係止板１５には、第２アーム１３に内壁２ａに向かって水平に延びる片部１５ａが形成され、その片部１５ａが窓枠１（図１（Ｃ）より分かるように、通常、内壁２ａから室内に向かって一部が突出する）に係ることで、掛止具１１、すなわち足場設置具１０を窓枠１に係止し、窓枠との接点を中心に室外側に回転して脱落することを防止することができる。
【００２９】
係止板１５の材質は任意に設計できるが、本実施例では、第２アーム１３の側の木製板と内壁２ａ側のゴム製板を貼り合わせた重ね板とする。第２アーム１３に孔を設け、その孔から木製板にネジ１３ａを螺入することができる。ゴム製板は、内壁２ａ及び窓枠１（片部１５ａの接する下縁）を保護する。
【００３０】
足場設置具１０を用いて足場を設置する方法を説明する。本実施例では、足場（１つの足場用板部材２０）を安定に設置するために２つの掛止具１１を用いる。
【００３１】
まず、窓１ａ，１ｂを開け、それらを窓枠１の中央に位置決めする。これにより、窓枠１内の横幅方向の両側が開く。次に、２つの掛止具１１を、室内から、窓枠１の横幅方向の一側と他側にそれぞれ掛止する。このとき、本体の第１及び第２アーム１２，１３の間の部位が窓枠１上に支持される。次に、係止板１５を２つの掛止具１１のそれぞれの第２アーム１３に固定し、当接具１２ｄの長さを調節する。最後に、２つの掛止具１１のそれぞれの支持具１２ｂの間に足場用板部材２０を架け渡す。
【００３２】
ここで、掛止具１１の水平移動について考察すると、当接具１２ｄによって室内方向への移動が防止され、係止板１５によって室外方向への移動が防止される。当接具１２ｄの長さを調節して、当接具１２ｄの外壁２ｂに圧着される方の端部と係止板１５との水平距離を、内壁２ａと外壁２ｂとの距離に合わせることで、掛止具１１の水平移動が防止される。係止板１５を内壁に密着させて当接具１２ｄの長さを調節するので、正確に調整することができる。
【００３３】
ここで、係止板１５が窓枠１の横幅よりも長いことで、確実に、係止板１５が窓枠１に係止されて、掛止具１１の建物の外側への脱落が防止される。また、通常、窓枠の側部下には躯体２ｃが建物の壁２の内側に設けられている。そのため、壁２は躯体２ｃの近傍で十分な強度を有する。係止板１５が、その躯体２ｃの箇所で内壁２ａに接することで、十分な強度で係止板１５、すなわち掛止具１１が係止され、掛止具１１が安定に窓枠１に掛止される。
【００３４】
以上詳細に説明したように、本実施例の足場設置具１０は、建物の窓枠１に掛止されて建物の外側及び内側にそれぞれ垂下する第１及び第２アーム１２，１３を有する少なくとも１つの掛止具１１、第１アーム１２に設けられて、足場用板部材２０を支持する支持具１２ｂ、及び第２アーム１３に固定されて、窓枠１に係止される係止板１５を含んで構成される。掛止具１１を建物の窓枠１に掛止して、外側に垂下する第１アーム１２に設けられた支持具１２ｂに足場用板部材２０を架けることができるとともに、建物の内側に垂下する第２アーム１３に固定された係止板１５が窓枠１に係止することで、足場用板部材２０を介して掛止具１１に加わる力が相殺されるため、足場を安定に支持することが可能となる。
【００３５】
また、本実施例の足場は、足場用板部材２０及びこれを支持する足場設置具１０から設置される。足場設置具１０を用いて足場用板部材２０を支持することで、建物の外側に安定に足場を設置することができる。また、足場設置具１０は、コンパクトなサイズであることから、室内側のみから足場を設置することができる。
【００３６】
また、掛止具１１は、足場用板部材２０の長さ、必要とする耐荷重等に応じて、十分な強度を得るために、１又は２に限らず、３以上の複数用いることとしてよい。それにより、複数の掛止具１１の第１アーム１２のそれぞれに設けられる支持具１２ｂにより足場用板部材２０が安定に支持される。
【実施例２】
【００３７】
実施例１では、足場設置具１０を構成する掛止具１１を窓枠１の上に直に支持することとした。しかし、窓枠の種類によっては、枠材上に窓２ａ，２ｂをスライドするためのレール１ｃが設けられていることがある。かかる場合、図２に示すように、窓枠１上に、レール１ｃよりも十分な厚みを有する高さ調整部材１６を介して、掛止具１１を支持することとする。
【産業上の利用可能性】
【００３８】
本発明の足場設置具は、建物の外側に足場を安定に設置するのに好適である。多くの工事業者による利用が考えられる。
【符号の説明】
【００３９】
１    窓枠
１ａ  窓
１ｂ  窓
２    壁
２ａ  内壁
２ｂ  外壁
２ｃ  躯体
１０    足場設置具
１１    掛止具
１２    第１アーム
１２ａ  第３アーム
１２ｂ  支持具
１２ｃ  補強具
１２ｄ  当接具
１３    第２アーム
１３ａ  ネジ
１５    係止板
１５    係止具
１５ａ  片部
２０    足場用板部材
【図１】
0006470556.tif 000002
【図２】
0006470556.tif 000003